(57)【要約】【課題】構成部材が互いに外れないボタンユニットを提供する。【解決手段】ボタンユニット７は、筒状に形成され、軸線Ｏ方向に沿って延びる操作ボタン体６と、操作ボタン体６の内側に配置され、操作ボタン体６を軸線Ｏ方向に所定長さの移動を可能に支持するボタン受け部材５０と、操作ボタン体６の外側に配置され、操作ボタン体６を支持する支持体５と、を備え、操作ボタン体６及びボタン受け部材５０は、支持体５に対して、軸線Ｏの周方向に回動可能とされ、ボタン受け部材５０は、操作ボタン体６の軸線Ｏ方向への所定長さ以上の移動を規制する規制部５６ｈを有する。【選択図】図５
2018053651.tif 000002
【特許請求の範囲】
【請求項１】
筒状に形成され、軸線方向に沿って延びる操作ボタン体と、
該操作ボタン体の内側に配置され、前記操作ボタン体を前記軸線方向に所定長さの移動を可能に支持するボタン受け部材と、
前記操作ボタン体の外側に配置され、該操作ボタン体を支持する支持体と、を備え、
前記操作ボタン体及び前記ボタン受け部材は、前記支持体に対して、前記軸線の周方向に回動可能とされ、
前記ボタン受け部材は、前記操作ボタン体の前記軸線方向への前記所定長さ以上の移動を規制する規制部を有するボタンユニット。
【請求項２】
前記規制部は、前記軸線方向に沿って形成された挿通孔として構成され、
前記操作ボタン体は、前記挿通孔に挿通され、該挿通孔内を前記軸線方向に移動可能とされた被規制部を有する請求項１に記載のボタンユニット。
【請求項３】
前記被規制部は、前記挿通孔に前記軸線の周方向に嵌合されている請求項２に記載のボタンユニット。
【請求項４】
前記操作ボタン体は、
前記ボタン受け部材の前記軸線方向の一方側に配置される操作ボタン部材と、
前記ボタン受け部材を挟んで前記軸線方向の他方側に配置される係合部材と、を有し、
前記係合部材には、前記被規制部が設けられている請求項２または３に記載のボタンユニット。
【請求項５】
前記支持体は、対象物に対して取り付け可能な取付部を有する請求項１から４のいずれか一項に記載のボタンユニット。
【発明の詳細な説明】
【技術分野】
【０００１】
本発明は、ボタンユニットに関する。
【背景技術】
【０００２】
従来から、浴室等には、吐水と止水との切り替えや流量調整が可能な押しボタンが設けられた水栓装置が知られている。例えば、水栓本体と、水栓本体を収容するカウンター板と、水栓本体を操作して吐水と止水とを切り替える押しボタンと、吐水流量を調整可能なダイヤルと、を備えた水栓装置が提案されている。この水栓装置では、押しボタンは有底筒状に形成され、ダイヤルは筒状に形成され押しボタンを外嵌して、押しボタン及びダイヤルが一体とされてカウンター板に設けられた貫通孔内に配置され、押しボタン及びダイヤルがそれぞれ水栓本体に対して、水栓本体側から使用者側に向かう方向に摺動可能に嵌合されている（下記特許文献１参照）。
【先行技術文献】
【特許文献】
【０００３】
【特許文献１】特開２００８−２３１６８６号公報
【発明の概要】
【発明が解決しようとする課題】
【０００４】
上記の特許文献１に記載の水栓装置では、ダイヤルを押しボタンに対して使用者側から嵌め込む構成であり、ダイヤルは押しボタンに対して使用者側への移動可能である。このため、ダイヤルや押しボタンのメンテナンスの際に、水栓本体からカウンター板を取り外して、水栓本体からダイヤル及び押しボタンを外すと、ダイヤルが押しボタンから使用者側に移動して外れてしまう。よって、互いに別々になったダイヤルや押しボタンが落下して転がり浴室等の床を傷つけてしまう虞がある。
【０００５】
そこで、本発明は、上記事情に鑑みてなされたものであり、構成部材が互いに外れないボタンユニットを提供する。
【課題を解決するための手段】
【０００６】
上記目的を達成するために、本発明は以下の手段を採用している。
すなわち、本発明に係るボタンユニットは、筒状に形成され、軸線方向に沿って延びる操作ボタン体と、該操作ボタン体の内側に配置され、前記操作ボタン体を前記軸線方向に所定長さの移動を可能に支持するボタン受け部材と、前記操作ボタン体の外側に配置され、該操作ボタン体を支持する支持体と、を備え、前記操作ボタン体及び前記ボタン受け部材は、前記支持体に対して、前記軸線の周方向に回動可能とされ、前記ボタン受け部材は、前記操作ボタン体の前記軸線方向への前記所定長さ以上の移動を規制する規制部を有する。
【０００７】
このように構成されたボタンユニットでは、ボタン受け部材が操作ボタン体の軸線方向への所定長さ以上の移動を規制する規制部を有するため、操作ボタン体がボタン受け部材から軸線方向へ所定長さ以上移動することがない。よって、操作ボタン体及びボタン受け部材が支持体に対して軸線の周方向に回動可能な構成でありつつ、操作ボタン体とボタン受け部材とが互いに外れることがない。
【０００８】
また、本発明に係るボタンユニットでは、前記規制部は、前記軸線方向に沿って形成された挿通孔として構成され、前記操作ボタン体は、前記挿通孔に挿通され、該挿通孔内を前記軸線方向に移動可能とされた被規制部を有することが好ましい。
【０００９】
このように構成されたボタンユニットでは、ボタン受け部材に軸線方向に沿って形成された挿通孔に、操作ボタン体の被規制部は挿通され、挿通孔内を軸線方向に移動可能とされている。よって、被規制部は挿通孔の軸線方向に移動して挿通孔の両端部と当接することで、軸線方向の移動が規制される。
【００１０】
また、本発明に係るボタンユニットでは、前記被規制部は、前記挿通孔に前記軸線の周方向に嵌合されていてもよい。
【００１１】
このように構成されたボタンユニットでは、操作ボタン体の被規制部はボタン受け部材の挿通孔に軸線の周方向に嵌合されているため、操作ボタン体はボタン受け部材とともに軸線の周方向への回動が可能である。
【００１２】
また、本発明に係るボタンユニットでは、前記操作ボタン体は、前記ボタン受け部材の前記軸線方向の一方側に配置される操作ボタン部材と、前記ボタン受け部材を挟んで前記軸線方向の他方側に配置される係合部材と、を有し、前記係合部材には、前記被規制部が設けられていてもよい。
【００１３】
このように構成されたボタンユニットでは、ボタン受け部材に対して、軸線方向の一方側には操作ボタン部材が配置され、軸線方向の他方側には被規制部が設けられた係合部材が配置される。よって、操作ボタン部材と係合部材とでボタン受け部材を挟み込むため、操作ボタン体とボタン受け部材との分離が抑制される。
【００１４】
また、本発明に係るボタンユニットは、前記支持体は、対象物に対して取り付け可能な取付部を有していてもよい。
【００１５】
このように構成されたボタンユニットでは、支持体の取付部を対象物に対して取り付けることで、ボタンユニットが対象物に取り付けられる。対象物にボタンユニットを取り付ける際の作業性がよい。
【発明の効果】
【００１６】
本発明に係るボタンユニットによれば、構成部材が互いに外れない。
【図面の簡単な説明】
【００１７】
【図１】本発明の一実施形態に係るボタンユニットが設けられた水栓装置が用いられた浴室の一部を示す斜視図である。
【図２】本発明の一実施形態に係るボタンユニットが設けられた水栓装置を示す斜視図である。
【図３】本発明の一実施形態に係る水栓装置の分解斜視図である。
【図４】図３の部分拡大図である。
【図５】本発明の一実施形態に係る水栓装置のボタンユニットを前方から見た分解斜視図である。
【図６】本発明の一実施形態に係る水栓装置のボタンユニットを前方の図５と異なる角度から見た分解斜視図である。
【図７】本発明の一実施形態に係る水栓装置のボタンユニットを後方から見た分解斜視図である。
【図８】図２のＡ−Ａ断面図である。
【図９】図８のＢ−Ｂ断面図である。
【図１０】図８のＣ−Ｃ断面図である。
【図１１】図８のＤ−Ｄ断面図である。
【図１２】図１０のＥ−Ｅ断面図である。
【図１３】本発明の一実施形態の変形例に係るボタンユニットが設けられた水栓装置のボタンユニットを前方から見た分解斜視図である。
【発明を実施するための形態】
【００１８】
以下、本発明の一実施形態に係るボタンユニットについて、図面を用いて説明する。
図１は、本発明の一実施形態に係るボタンユニットが設けられた水栓装置が用いられた浴室の一部を示す斜視図である。
図１に示すように、浴室１００は、浴槽１０１と、浴槽１０１に隣接配置された洗い場１０２と、浴槽１０１及び洗い場１０２の外周に立設された壁１０３と、壁１０３に設けられた水栓装置１１０、カウンター１０４、鏡１０５及びスライドバー１０６と、スライドバー１０６に沿って上下方向にスライド可能とされたシャワーフック１０７と、水栓装置１１０から延びるホース１０８と、ホース１０８に設けられシャワーフック１０７に係止可能とされたシャワーヘッド１０９と、を備えている。
【００１９】
図２は、ボタンユニットが設けられた水栓装置１１０を示す斜視図である。図３は、水栓装置１１０の分解斜視図である。図４は、図３の部分拡大図である。
図２及び図３に示すように、水栓装置１１０は、水栓本体１と、水栓本体１を収容するハウジング（対象物）２と、水栓本体１を操作するための複数の押しボタン３及び操作ダイヤル４と、を備えている。
以下の説明において、水栓装置１１０が取り付けられる壁１０３（図１参照。以下同じ。）側を後方、その反対側（操作者側）を前方、前方と後方とを結ぶ前後方向と直交する水平方向を左右方向と称することがある。
【００２０】
操作者が押しボタン３を押圧操作することにより、吐水と止水との切り替えが可能とされている。本実施形態では、止水状態の際に、操作者が押しボタン３を押すことにより、押しボタン３の突出量が小さくなった後に、止水状態よりも突出量が大きくなり吐水状態になる。吐水状態の際に、操作者が押しボタン３を押すことにより、押しボタン３の突出量が小さくなり止水状態に戻る。例えば、止水状態ではハウジング２の前面からの突出量が５ｍｍとされ、吐水状態ではハウジング２の前面からの突出量が例えば１５ｍｍとされている。
また、操作者は操作ダイヤル４を回すことにより、カラン及びシャワーの温度を調整できる。
【００２１】
図５は、水栓装置１１０のボタンユニット７を前方から見た分解斜視図である。図６は、水栓装置１１０のボタンユニット７を前方の図５と異なる角度から見た分解斜視図である。図７は、水栓装置１１０のボタンユニット７を後方から見た分解斜視図である。
図５及び図６に示すように、水栓本体１は、不図示の給水管路や給湯管路等が設けられ、周知の構成である。水栓本体１は、前側に設けられた被押圧部材１１を有したバルブユニット１０を備えている。被押圧部材１１は、水栓本体１に対して前後方向を軸線Ｏ方向として移動可能に支持されている。バルブユニット１０は、カラン用及びシャワー用のものがそれぞれ設けられている。バルブユニット１０の軸線Ｏ方向を、単に軸線Ｏ方向と称することがある。
【００２２】
図３に示すように、ハウジング２は、上面を形成する天面パネル２１と、天面パネル２１の反対側に配置される底面パネル２２と、天面パネル２１と底面パネル２２とを連結する中間カバー２３と、水栓装置１１０が取り付けられ壁１０３側に設けられるブラケット２９と、を備えている。
【００２３】
天面パネル２１の下面には、下方に向かって突出する複数の取付部２１ａが設けられている。また、底面パネル２２の上面には、上方に向かって突出する複数の取付部２２ａが設けられている。これら取付部２１ａ，２２ａは、それぞれ水栓本体１や中間カバー２３と不図示の螺子で固定されている。
【００２４】
底面パネル２２の側部及び前端部には、下方に向かって凹む凹部２２ｂが形成されている。凹部２２ｂには、それぞれ操作ダイヤル４及び押しボタン３が配置されている。
【００２５】
中間カバー２３は、上方から見て四方枠状に形成された枠部２４と、枠部２４の左右両端部から下方に延びる側壁部２５と、枠部２４の前端部から下方に延びる前壁部２６と、を有している。
【００２６】
一方の側壁部２５の下部には、上方に向かって凹む凹部２５ｂが形成されている。凹部２５ｂには、操作ダイヤル４が配置されている。
【００２７】
前壁部２６は、上端部が下端部よりも前方に位置するように、緩やか曲面状をなしている。
【００２８】
前壁部２６には、前後方向に貫通する貫通孔２６ｈが左右方向に離間して一対形成されている。貫通孔２６ｈには、それぞれ押しボタン３が配置されている。
【００２９】
中間カバー２３の前壁部２６の後面には、後方に向かって突出する取付板部２６ａが複数設けられている。取付板部２６ａには、水栓本体１に設けられた固定部１６が不図示の螺子が螺合されている。
【００３０】
図５から図７に示すように、押しボタン３は、操作ボタン部材３０と、操作ボタン部材３０の外周に沿って配置されるカバー部材４０と、操作ボタン部材３０の内周に沿って配置されるボタン受け部材５０と、を備えている。
【００３１】
操作ボタン部材３０は、カラン用及びシャワー用のバルブユニット１０にそれぞれ設けられているが、同一の構成であるため、以下においては水栓装置１１０を操作者側から見て左側のバルブユニット１０について説明する。
【００３２】
操作ボタン部材３０は、有底筒状に形成されている。操作ボタン部材３０は、前方から見て円形状に形成された底部３１と、底部３１の外縁から後方に延び筒状に形成された筒状部３６と、を有している。
【００３３】
底部３１の後面において、後方から見て円の中心には、後方に向かって突出する固定軸部３２が形成されている。
【００３４】
固定軸部３２は、平面状に形成された平面部３２ａと、平面部３２ａの両端部を結び曲面状に形成された曲面部３２ｂと、を有している。固定軸部３２の後面には、前方に向かって取付穴３２ｈが形成されている。
【００３５】
カバー部材４０は、操作ボタン部材３０の筒状部３６の外周面に沿って配置されている。カバー部材４０は、環状に形成されたフランジ部４１と、フランジ部４１の内縁から前方に延び筒状に形成された筒状部４６と、を有している。
【００３６】
フランジ部４１の上端部には、後方に向かって突出する係合突起４１ａが形成されている。係合突起４１ａは、後述する取付部材７０に嵌め込まれている。
【００３７】
図４に示すように、筒状部４６の前端部は、中間カバー２３の前壁部２６（図３参照）の形状に対応して、上端部が下端部よりも前方に突出する形状とされている。
【００３８】
筒状部４６の外周面には、径方向外側に向かって突出する複数のリブ４７が設けられている。
【００３９】
図８は、図２のＡ−Ａ断面図である。図９は、図８のＢ−Ｂ断面図である。図１０は、図８のＣ−Ｃ断面図である。図１１は、図８のＤ−Ｄ断面図である。図１２は、図１０のＥ−Ｅ断面図である。
図３及び図８に示すように、筒状部４６はハウジング２の中間カバー２３の貫通孔２６ｈの縁部に沿って配置されるとともに、リブ４７の前端部は中間カバー２３の貫通孔２６ｈの外縁部の後面に当接している。また、フランジ部４１の後端部は、後述する取付部材７０の環状部７１に当接している。これにより、カバー部材４０の軸線Ｏ方向への移動が規制されている。
【００４０】
なお、筒状部４６に複数のリブ４７を設けるのではなく、リブ４７が設けられる軸線Ｏ方向の領域を肉厚として、肉厚とした部分の前端部が中間カバー２３の貫通孔２６ｈの外縁部の後面に当接する構成であってもよい。
【００４１】
図５から図７に示すように、ボタン受け部材５０は、操作ボタン部材３０の筒状部３６の内周面に沿って配置されている。ボタン受け部材５０は、環状に形成されたフランジ部５１と、フランジ部５１の内縁から前方に延び筒状に形成された筒状部５６と、を有している。
【００４２】
フランジ部５１の外縁には、後方に向かって突出し、軸線Ｏ方向から見て円弧状をなす被規制部５２が設けられている。
【００４３】
フランジ部５１の内縁部から筒状部５６の後端部にわたって、板厚方向に貫通孔５１ｈが形成されている。貫通孔５１ｈには、バルブユニット１０の被押圧部材１１の外周に配置された外周部材１２の突起１２ａが嵌め込まれている。
【００４４】
筒状部５６には、径方向外側に突出する複数の突出部５７が設けられている。突出部５７の先端部は、操作ボタン部材３０の筒状部３６の内周面に当接されている。これにより、操作ボタン部材３０は、ボタン受け部材５０に対して軸線Ｏ方向に摺動可能とされている。
【００４５】
図５及び図８に示すように、筒状部５６には、径方向に貫通する挿通孔（規制部）５６ｈが、径方向に対向して一対設けられている。挿通孔５６ｈは、軸線Ｏ方向に所定の長さを有している。挿通孔には、回動部材（係合部材）６０が配置されている。
【００４６】
図５から図７に示すように、回動部材６０は、環状に形成された基部６１と、基部６１から径方向外側に延びる一対の腕部（被規制部）６６と、を有している。
【００４７】
基部６１の外縁には、前方に向かって突出する嵌合壁部６２が設けられている。嵌合壁部６２の内周面は、操作ボタン部材３０の固定軸部３２の外周面に対応した形状とされ、嵌合壁部６２の内部に固定軸部３２が嵌合されている。換言すると、嵌合壁部６２は、平面状に形成された平面部６２ａと、平面部６２ａの両端部を結び曲面状に形成された曲面部６２ｂと、を有している。
【００４８】
基部６１には、軸線Ｏ方向に貫通する取付孔６１ｈが形成されている。回動部材６０は、ボタン受け部材５０の筒状部５６内に配置され、取付孔６１ｈから挿通された螺子６１ｚが、操作ボタン部材３０の固定軸部３２の取付穴３２ｈに螺合されている。操作ボタン部材３０と回動部材６０とは、ボタン受け部材５０を軸線Ｏ方向の間に挟んで配置されている。操作ボタン部材３０と回動部材６０とは、螺子６１ｚにより螺合されることで一体とされ、嵌合されることで相対的な周方向の回転が規制されている。
【００４９】
腕部６６は、ボタン受け部材５０の挿通孔５６ｈ内に配置され、挿通孔５６ｈ内を軸線Ｏ方向に移動可能とされている。換言すると、腕部６６は、挿通孔５６ｈの軸線Ｏ方向の長さ分移動可能である。また、腕部６６の周方向の長さ（幅）は、挿通孔５６ｈの周方向の長さと略同一または僅かに短い。これにより、腕部６６は挿通孔５６ｈに周方向に嵌合され、挿通孔５６ｈ内での周方向の移動が規制されている。
【００５０】
押しボタン３は、取付部材７０を介してハウジング２に固定されている。
取付部材７０は、環状に形成された環状部７１と、環状部７１の外周面から径方向外側に延びる取付部７６と、を有している。
【００５１】
環状部７１には、前方に向かって突出する係合爪部７２が設けられている。係合爪部７２は、カバー部材４０のフランジ部４１に係合可能とされている。環状部７１の前端部には、後方に向かって凹む係合凹部７３が形成されている。係合凹部７３には、カバー部材４０の係合突起４１ａが嵌め込まれている。これにより、取付部材７０とカバー部材４０とは係合され、カバー部材４０が取付部材７０に対して周方向の移動が規制されている。
【００５２】
取付部７６は、環状部７１の左右方向両側から径方向外側に延びている。取付部７６には上下方向に貫通する取付孔７６ｈ（図１１参照。以下同じ。）が形成されている。ハウジング２の取付板部２６ａのスリット２６ｓ（図１１参照。）から挿通された螺子２６ｚが、取付部材７０の取付孔７６ｈに挿通されナット７６ｚと螺合されている。これにより、取付部材７０はハウジング２に取り付けられている。また、取付部材７０がハウジング２に取り付けられることにより、カバー部材４０は軸線Ｏ方向及び周方向の移動が規制されて、カバー部材４０はハウジング２に固定されている。
【００５３】
図８に示すように、ボタン受け部材５０のフランジ部５１は、取付部材７０の環状部７１とカバー部材４０のフランジ部４１との間に挟み込まれている。これにより、ボタン受け部材５０は、軸線Ｏ方向の移動が規制されている。
【００５４】
図５及び図６に示すように、環状部７１の内縁部には、前方に向かって突出し、軸線Ｏ方向から見て円弧状をなす規制部７４が設けられている。ボタン受け部材５０の被規制部５２（図７参照）は、取付部材７０の環状部７１の内縁に沿って、規制部７４が設けられていない範囲を周方向に摺動可能とされている。これにより、流量の範囲が設定される。
本実施形態では、取付部材７０とカバー部材４０とが支持体５を構成して、操作ボタン部材３０と回動部材６０とが操作ボタン体６を構成し、支持体５と操作ボタン体６とボタン受け部材５０とがボタンユニット７を構成している。
【００５５】
次に、上記の水栓装置１１０の組み立てについて説明する。
予め、押しボタン３に取付部材７０を取り付けておく。
具体的には、操作ボタン部材３０の内部にボタン受け部材５０を挿入する。操作ボタン部材３０の固定軸部３２に回動部材６０の嵌合壁部６２を嵌め込むとともに、回動部材６０の腕部６６を操作ボタン部材３０の挿通孔５６ｈに挿通させる。螺子６１ｚを、回動部材６０の取付孔６１ｈに挿通して、操作ボタン部材３０の取付穴３２ｈに螺合する。
【００５６】
このように一体とされた操作ボタン部材３０及びボタン受け部材５０を、カバー部材４０のフランジ部４１側から挿入する。ボタン受け部材５０のフランジ部５１に沿って、取付部材７０の環状部７１を配置する。この際に、環状部７１の係合爪部７２をカバー部材４０のフランジ部４１に係合させるとともに、カバー部材４０の係合突起４１ａを取付部材７０の係合凹部７３に嵌め込む。
【００５７】
これにより、操作ボタン部材３０、ボタン受け部材５０、カバー部材４０及び取付部材７０が一体とされ、互いに外れない状態となっている。
【００５８】
この状態で、取付部材７０の取付部７６にナット７６ｚを配置して、螺子２６ｚをナット７６ｚに幾分螺合させておく。押しボタン３の操作ボタン部材３０を、ハウジング２の中間カバー２３の貫通孔２６ｈに挿入する。螺子２６ｚをハウジング２の取付板部２６ａのスリット２６ｓにスライドさせて、押しボタン３を押し込んだ状態で、螺子２６ｚをナット７６ｚに螺合させる。これにより、押しボタン３は取付部材７０を介して中間カバー２３に固定される。
【００５９】
次に、押しボタン３が取り付けられた中間カバー２３を水栓本体１の前方から後方に移動させ、水栓本体１の外周部材１２の突起１２ａをボタン受け部材５０の貫通孔５１ｈに嵌め込むようにして、水栓本体１に押しボタン３を固定する。
【００６０】
次に、中間カバー２３及び水栓本体１に対して、天面パネル２１及び底面パネル２２を取り付け、水栓本体１に操作ダイヤル４を取り付ける。
【００６１】
次に、上記の水栓装置１１０における押しボタン３の動作について説明する。
図８に二点鎖線で示す止水状態から、操作者が操作ボタン部材３０を押圧すると、操作ボタン部材３０は、螺子６１ｚにより取り付けられた回動部材６０とともに後方に移動する。螺子６１ｚが水栓本体１の被押圧部材１１を押圧して、水栓本体１内の係止手段（不図示）が解除され、水栓本体１内の付勢手段（不図示）により、操作ボタン部材３０は回動部材６０とともに前方に移動して、止水状態よりも前方に突出した吐水状態となる。
【００６２】
この際に、回動部材６０の腕部６６は、ボタン受け部材５０の挿通孔５６ｈ内を前方に移動して、挿通孔５６ｈの前縁部に当接することにより、回動部材６０及び回動部材６０と連結された操作ボタン部材３０の前方への移動が規制される。
【００６３】
吐水状態おいて、操作者が、操作ボタン部材３０を周方向に回すと、操作ボタン部材３０は、カバー部材４０の内周面に沿って、周方向に回動する。
【００６４】
回動部材６０は操作ボタン部材３０に取り付けられているため、回動部材６０は操作ボタン部材３０とともに回動する。また、回動部材６０の腕部６６がボタン受け部材５０の挿通孔５６ｈに嵌め込まれているため、回動部材６０はボタン受け部材５０に周方向の回転力を伝達してボタン受け部材５０をともに回動させる。また、ボタン受け部材５０の貫通孔５１ｈには水栓本体１の外周部材１２の突起１２ａが嵌め込まれているため、外周部材１２はボタン受け部材５０とともに回動する。つまり、操作者が操作ボタン部材３０を回すことにより、操作ボタン部材３０、回動部材６０、ボタン受け部材５０及び外周部材１２が一体となって回動する。
【００６５】
この際、図１１に示すように、ボタン受け部材５０のフランジ部５１に設けられた被規制部５２の一端部が取付部材７０の規制部７４の一端部７４ｐに当接する位置から、ボタン受け部材５０のフランジ部４１に設けられた被規制部５２の他端部５２ｑが取付部材７０の規制部７４の他端部７４ｑに当接する位置まで、ボタン受け部材５０は操作ボタン部材３０とともに回動可能とされている。
【００６６】
操作者は、止水状態にする際には、操作ボタン部材３０を押圧すると、螺子６１ｚが水栓本体１の被押圧部材１１を押圧して、被押圧部材１１は後方に移動した位置で、水栓本体１内の係止手段（不図示）により係止される。
【００６７】
このように構成された水栓装置１１０では、ボタン受け部材５０が操作ボタン体６の軸線Ｏ方向への所定長さ以上の移動を規制する挿通孔５６ｈを有するため、操作ボタン体６がボタン受け部材５０から軸線Ｏ方向へ所定長さ以上移動することがない。よって、操作ボタン体６及びボタン受け部材５０が支持体５に対して軸線Ｏの周方向に回動可能な構成でありつつ、操作ボタン体６とボタン受け部材５０とが互いに外れることがない。
【００６８】
また、ボタン受け部材５０に軸線Ｏ方向に沿って形成された挿通孔５６ｈに、操作ボタン体６の腕部６６は挿通され、挿通孔５６ｈ内を軸線Ｏ方向に移動可能とされている。よって、腕部６６は挿通孔５６ｈの軸線Ｏ方向に移動して両端部と当接することで、軸線Ｏ方向の移動が規制される。
【００６９】
また、操作ボタン体６の腕部６６はボタン受け部材５０の挿通孔５６ｈに軸線Ｏの周方向に嵌合されているため、操作ボタン体６はボタン受け部材５０とともに軸線Ｏの周方向への回動が可能である。
【００７０】
また、ボタン受け部材５０に対して、軸線Ｏ方向の一方側には操作ボタン部材３０が配置され、軸線Ｏ方向の他方側には腕部６６が設けられた回動部材６０が配置される。よって、操作ボタン部材３０と回動部材６０とでボタン受け部材５０を挟み込むため、操作ボタン体６とボタン受け部材５０との分離が抑制される。
【００７１】
また、支持体５の取付部７６をハウジング２に対して取り付けることで、ボタンユニット７がハウジング２に取り付けられる。ハウジング２にボタンユニット７を取り付ける際の作業性がよい。
【００７２】
（変形例）
次に、本発明の一実施形態の変形例に係るボタンユニットが設けられた水栓装置について、主に図１３を用いて説明する。
なお、下記の変形例において、上述した実施形態と同一の部材等について、同一の符号を付して説明を省略する。
【００７３】
上記に示す一実施形態では、取付部材７０とカバー部材４０とは別体として構成されているが、本変形例では、取付部材７０とカバー部材４０とが一体とされた取付カバー部材１４０として構成されている。
【００７４】
取付カバー部材１４０は、内部に操作ボタン部材３０は配置される筒状部１４６、筒状部１４６から径方向外側に延びハウジング２に取り付けられる取付部１７６と、を有している。
本変形例では、取付部材７０とカバー部材４０とが一体とされているため、部品点数を抑えることができる。
【００７５】
なお、上述した実施の形態において示した各構成部材の諸形状や組み合わせ等は一例であって、本発明の主旨から逸脱しない範囲において設計要求等に基づき種々変更可能である。
【００７６】
例えば、上記に示す実施自形態では、ボタンユニットの取付対象が浴室の水栓装置であるが、本発明はこれに限られず、他の水栓装置や、照明装置等の装置にも取り付け可能である。
【符号の説明】
【００７７】
１…水栓本体
２…ハウジング（対象物）
３…押しボタン
４…操作ダイヤル
５…支持体
６…操作ボタン体
７…ボタンユニット
１０…バルブユニット
１１…被押圧部材
２１…天面パネル
２２…底面パネル
２３…中間カバー
２９…ブラケット
３０…操作ボタン部材
３１…底部
３６…筒状部
４０…カバー部材
４１…フランジ部
４６…筒状部
４７…リブ
５０…ボタン受け部材
５１…フランジ部
５２…被規制部
５６…筒状部
５６ｈ…挿通孔（規制部）
６０…回動部材（係合部材）
６１…基部
６６…腕部（被規制部）
７０…取付部材
７１…環状部
７４…規制部
７６…取付部
１１０…水栓装置
Ｏ…軸線
【図１】
2018053651.tif 000003
【図２】
2018053651.tif 000004
【図３】
2018053651.tif 000005
【図４】
2018053651.tif 000006
【図５】
2018053651.tif 000007
【図６】
2018053651.tif 000008
【図７】
2018053651.tif 000009
【図８】
2018053651.tif 000010
【図９】
2018053651.tif 000011
【図１０】
2018053651.tif 000012
【図１１】
2018053651.tif 000013
【図１２】
2018053651.tif 000014
【図１３】
2018053651.tif 000015